(57)【要約】      （修正有）【課題】乗りかご内に娯楽性をもたせることが可能なエレベータを提供する。【解決手段】エレベータ１は、昇降路内において、乗りかご３とカウンタウェイトとがメインロープを介してつるべ式に接続され昇降移動するものである。このエレベータ１は、乗りかご内の総重量が規定値を超えたか否かを検出するための荷重検出手段と、乗客に向けて水滴を噴射する水滴噴射手段及び乗りかご３の床面３ａを振動させる第１振動スピーカ１０を備え、乗客の操作によって床面振動手段による振動を停止させる停止手段を備える。【選択図】図２
2009196794.tif 000002
【特許請求の範囲】
【請求項１】
昇降路内において、乗りかごとカウンタウェイトとがメインロープを介して接続され昇降移動するエレベータであって、
前記かごの床面を振動させる床面振動手段を備えることを特徴とするエレベータ。
【請求項２】
前記乗りかごの側板を振動させる側板振動手段を備えることを特徴とする請求項１に記載のエレベータ。
【請求項３】
前記乗りかご内の乗客に向けて音声を出力する音声出力手段を備え、前記床面振動手段は、前記音声出力手段から出力される音声と同調して床面を振動させることを特徴とする請求項１又は請求項２に記載のエレベータ。
【請求項４】
前記床面振動手段による振動の大きさを設定可能な振動量設定手段を備えることを特徴とする請求項１乃至請求項３のいずれか一項に記載のエレベータ。
【請求項５】
前記床面振動手段による振動の種別を設定可能な振動種別設定手段を備えることを特徴とする請求項１乃至請求項４のいずれか一項に記載のエレベータ。
【請求項６】
前記床面は、複数の床板からなり、
前記床面振動手段は、前記複数の床板を個別に振動させることを特徴とする請求項１乃至請求項５のいずれか一項に記載のエレベータ。
【請求項７】
前記床面のうち、前記乗りかごの側板近傍位置に突起を設けたことを特徴とする請求項１乃至請求項６のいずれか一項に記載のエレベータ。
【請求項８】
前記床面振動手段による振動を停止させる停止手段を備えることを特徴とする請求項１乃至請求項７のいずれか一項に記載のエレベータ。
【請求項９】
水滴を噴射する水滴噴射手段を備えることを特徴とする請求項１乃至請求項８のいずれか一項に記載のエレベータ。
【請求項１０】
乗りかご内の総重量が規定値を超えたか否かを検出するための荷重検出手段を備え、
前記荷重検出手段は、乗りかごの扉が閉じられたときに検出を停止し、乗りかごが目的階に到着したときに検出を再開することを特徴とする請求項１乃至請求項９のいずれか一項に記載のエレベータ。
【発明の詳細な説明】
【技術分野】
【０００１】
本発明は、例えばテーマパーク等の娯楽性を有するエレベータに関する。
【背景技術】
【０００２】
通常、エレベータは、乗客を安全、快適且つスピーディに目的階まで搬送するものである（例えば、特許文献１参照）。すなわち、エレベータは、乗客の搬送に主眼をおいたものである。しかし、近年では、テーマパーク等のエレベータにおいては、乗りかご内に娯楽性を備えることが要望されている。
【特許文献１】特開２００６−２９０４７８号公報
【発明の開示】
【発明が解決しようとする課題】
【０００３】
そこで、本発明はこのような従来の課題に着目して創案されたものであり、その目的とするところは、娯楽性を有するエレベータを提供することにある。
【課題を解決するための手段】
【０００４】
本発明のエレベータは、昇降路内においては、乗りかごとカウンタウェイトとがメインロープを介して接続され昇降移動するエレベータであって、乗りかごの床面を振動させる床面振動手段を備えている。
【０００５】
また、本発明のエレベータにおいては、乗りかごの側板を振動させる側板振動手段や、乗りかご内の乗客に向けて音声を出力する音声出力手段を備える構成としてもよい。床面振動手段としては、音声出力手段から出力される音声と同調して床面を振動させる構成としてもよい。
【０００６】
本発明のエレベータにおいては、床面振動手段による振動の大きさを設定可能な振動量設定手段を備える構成としてもよい。また、本発明のエレベータにおいて、床面振動手段による振動の種別を設定可能な振動種別設定手段を備える構成としてもよい。
【０００７】
また、本発明のエレベータにおいて、床面は、複数の床板からなり、床面振動手段は、複数の床板を個別に振動させることが好ましい。
【０００８】
本発明のエレベータにおいては、床面のうち、乗りかごの側板近傍位置に突起を設けたことが好ましい。
【０００９】
本発明のエレベータにおいては、乗客の操作によって床面振動手段による振動を停止させる停止手段を備えることが好ましい。
【００１０】
また、本発明のエレベータにおいて、乗客に向けて水滴を噴射する水滴噴射手段をさらに備えることが好ましい。
【００１１】
また、本発明のエレベータにおいて、乗りかご内の総重量が規定値を超えたか否かを検出するための荷重検出手段をさらに備え、荷重検出手段は、乗りかごの扉が閉じられたときに検出を停止し、乗りかごが目的階に到着したときに検出を再開することが好ましい。
【発明の効果】
【００１２】
本発明のエレベータによれば、乗りかごの床面を振動させる床面振動手段を備えるため、乗客の運搬中に床面を振動させることができ、乗りかごが単に搬送する目的だけでなく娯楽性を持たせることができる。
【発明を実施するための最良の形態】
【００１３】
以下、本発明の実施の形態を図面に基づいて説明する。図１は、本発明の実施の形態に係るエレベータを示す構成図である。図１に示すように、エレベータ１は、昇降路２内において、乗りかご３とカウンタウェイト４とが巻上機５の駆動輪５ａに巻き付けられたメインロープ６を介して接続され、かご制御盤７の制御により昇降移動するものである。
【００１４】
図２は、図１に示した乗りかご３の構成を示す概略側面図である。図２に示す乗りかご３は、床面３ａと側板３ｂと天井板３ｃと扉３ｄとで乗客が乗るための空間が仕切られており、床面３ａの下部に第１振動スピーカ（床面振動手段）１０と、荷重センサ（荷重検出手段）２０とが設けられている。また、乗りかご３は、側板３ｂの上記空間と反対側の面に第２振動スピーカ（側板振動手段）３０が設けられている。さらに、乗りかご３は、天井板３ｃの上部に、効果音スピーカ（音声出力手段）４０と、水滴噴射装置（水滴噴射手段）５０と、操作盤６０とが設けられている。
【００１５】
第１振動スピーカ１０は、重低音を発生させることにより床面３ａを振動させるものである。この第１振動スピーカ１０は、乗りかご３内に設けられた制御部（不図示）によって制御され、予め定められた所定の振動を発生させる構成となっている。荷重センサ２０は、乗りかご３内の総重量が規定値を超えたか否かを検出するためのものである。この荷重センサ２０は、かご制御盤７に接続され、検出した荷重に応じた電気信号を乗りかご制御盤７に送信する。乗りかご制御盤７は、荷重センサ２０からの電気信号に基づいて乗りかご３内の総重量を判断し、総重量が既定値を超える場合には、乗りかご３の昇降を禁止することとなる。
【００１６】
第２振動スピーカ３０は、重低音を発生させることにより側板３ｂを振動させるものである。この第２振動スピーカ３０は、第１振動スピーカ１０と同様に制御部によって制御され、予め定められた所定の振動を発生させる構成となっている。効果音スピーカ４０は、乗りかご３内の乗客に向けて効果音となる音声を出力するものである。この効果音スピーカ４０についても制御部によって制御され、予め定められた所定の音声を出力する構成となっている。水滴噴射装置５０は、乗客に向けて水滴を噴射するものである。この水滴噴射装置５０についても制御部によって制御され、予め定められたタイミングで水滴を噴射する構成となっている。
【００１７】
図３は、図１に示した乗りかご３の扉３ｄの側部に設けられる操作盤６０の詳細を示す正面図である。なお、図３においては、図を見やすくするために、一部構成については拡大図示するものとする。図３に示すように、操作盤６０には、目的階決定ボタン６１と、開閉ボタン６２と、振動種別設定ボタン（振動種別設定手段）６３と、振動量設定ボタン（振動量設定手段）６４と、停止ボタン（停止手段）６５とが設けられている。
【００１８】
目的階決定ボタン６１は、乗客が降りたい目的階を指定するためのボタンである。乗りかご制御盤７は、目的階決定ボタン６１によって指定された目的階に乗りかご３が停止するように、乗りかご３の乗降を制御することとなる。開閉ボタン６２は、扉３ｄの開閉を指示するためのボタンである。このボタン６２が押下されると、乗りかご３内に設けられた制御部は、扉３ｄを早期に閉めたり、閉じかけた扉３ｄを開いたりすることとなる。
【００１９】
振動種別設定ボタン６３は、第１及び第２振動スピーカ１０，３０による振動の種別を設定可能なボタンである。具体的に振動種別設定ボタン６３には、波ボタン、カミナリボタン、及び電車ボタンの３種類のボタンからなっている。制御部は、乗客の操作によっていずれかのボタンが押下されると、指定されたボタンに応じた振動を第１及び第２振動スピーカ１０，３０から発生させることとなる。
【００２０】
振動量設定ボタン６４は、第１及び第２振動スピーカ１０，３０による振動の大きさを設定可能なボタンである。具体的に振動量設定ボタン６４は、効果大ボタンの１つのボタンからなっている。制御部は、乗客の操作によって効果大ボタンが押下されると、第１及び第２振動スピーカ１０，３０から大きめの振動を発生させることとなる。逆に、制御部は、効果大ボタンが押下されない場合、第１及び第２振動スピーカ１０，３０から小さめの振動を発生させることとなる。
【００２１】
停止ボタン６５は、第１及び第２振動スピーカ１０，３０による振動を停止させるためのボタンである。制御部は、乗客の操作によって停止ボタン６５が押下されると、第１及び第２振動スピーカ１０，３０による振動を停止させ、且つ、停止した旨の信号をかご制御盤７に送信する。かご制御盤７は、この信号を受信すると、一番近い最寄り階に乗りかご３を停止させることとなる。
【００２２】
図４は、図２に示した床面３ａと側板３ｂとを示す一部拡大図である。図４に示すように、乗りかご３は、突起７０とパッキン８０とをさらに備えている。突起７０は、乗りかご３の側板３ｂ近傍位置に設けられている。本実施の形態では、床面３ａ及び側板３ｂを振動させるため、振動によっては、床面３ａと側板３ｂとに隙間が生じる可能性がある。このため、隙間に乗客の体の部位が入ってしまう可能性がある。しかし、突起７０を設けることにより、側板３ｂ付近に立って突起７０を踏んだ乗客に違和感を与え、側板３ｂから離れるように誘導することができる。これにより、乗客の足の指などが床面３ａと側板３ｂとの隙間に挟まることを防止できる。
【００２３】
パッキン８０は、床板３ａと側板３ｂとの間に設けられており、乗客の足の指などが床面３ａと側板３ｂとの隙間に挟まれてしまう事態を未然防止する役割をもつものである。このパッキン８０は、床板３ａに取り付けられていてもよく、側板３ｂに取り付けられていてもよい。
【００２４】
図５は、図２に示した乗りかご３の第１変形例を示す一部側面図である。図５に示すように、乗りかご３は、第１振動スピーカ１０に代えてダンパー（床板振動手段）９０を備えていてもよい。さらに、第１変形例では、第２振動スピーカ３０に代えてダンパー（側板振動手段）を備えていてもよい。これらによっても同様に振動を発生させることができるからである。なお、
図６は、図２に示した乗りかご３の第２変形例を示す一部側面図である。図６に示すように、乗りかご３は、第１振動スピーカ１０に代えてスプリング（床板振動手段）１００を備えていてもよい。さらに、第２変形例では、第２振動スピーカ３０に代えてスプリング（側板振動手段）を備えていてもよい。これらによっても同様に振動を発生させることができるからである。
【００２５】
図７は、図２に示した乗りかご３の第３変形例を示す一部側面図である。図７に示すように、乗りかご３は、第１振動スピーカ１０に代えてハンマー（床板振動手段）１１０を備えていてもよい。さらに、第２変形例では、第２振動スピーカ３０に代えてハンマー（側板振動手段）を備えていてもよい。これらによっても同様に振動を発生させることができるからである。
【００２６】
図８は、図２に示した乗りかご３の第４変形例を示す一部側面図である。図８に示すように、乗りかご３の床面３ａは、複数の床板３ｅからなっていてもよい。さらに、第１変形例と同様にダンパー９０を備え、ダンパー９０によって複数の床板３ｅを個別に振動させる構成であってもよい。これにより、より細かな振動を実現でき、一層臨調感ある振動を行うことができるからである。
【００２７】
なお、図８に示すように、床面３ａが複数の床板３ｅからなっているため、突起７０は床板３ｅにうち、隣接する床板３ｅ及び側板３ｂの近傍位置に設けられることとなる。加えて、パッキン８０は、側板３ｂとの間、及び複数の床板３ｅの間に設けられることとなる。
【００２８】
図９は、図１に示したエレベータ１の変形例を示す構成図であり、エレベータ１のホール部分に設けられるホールボタンを示している。図９に示すように、ホールには、ホールボタンが設けられており、一般的には目的階が下階であるか上階であるかによって押下される上下ボタン１２０が設けられている。加えて、ホールボタンには、図３に示した振動種別設定ボタン６３が設けられている。この構成により、乗客が乗りかご３に乗り込む前に、振動の種別を設定することができる。
【００２９】
図１０は、図１に示したエレベータ１の動作を示すフローチャートである。図１に示すように、まず、制御部は、振動種別設定ボタン６３が押下されたか否かを判断する（Ｓ１）。振動種別設定ボタン６３が押下されたと判断した場合（Ｓ１：ＹＥＳ）、制御部は、振動種別を設定する（Ｓ２）。具体的に制御部は、波、カミナリ、及び電車のうち、いずれか１つを設定することとなる。
【００３０】
その後、制御部は、目的階決定ボタン６１が押下されたか否かを判断する（Ｓ３）。目的階決定ボタン６１が押下されていないと判断した場合（Ｓ３：ＮＯ）、処理はステップＳ１に移行する。一方、目的階決定ボタン６１が押下されたと判断した場合（Ｓ３：ＹＥＳ）、制御部は、乗りかご３の扉３ｄが閉じたか否かを判断する（Ｓ４）。
【００３１】
乗りかご３の扉３ｄが閉じていないと判断した場合（Ｓ４：ＮＯ）、この処理が繰り返されることとなる。乗りかご３の扉３ｄが閉じたと判断した場合（Ｓ４：ＹＥＳ）、荷重センサ２０は総重量の検知処理を停止する（Ｓ５）。そして、制御部は、効果大ボタンが押下されていたか否かを判断する（Ｓ６）。
【００３２】
効果大ボタンが押下されたと判断した場合（Ｓ６：ＹＥＳ）、かご制御盤７は乗りかごを昇降させると共に、制御部は第１及び第２振動スピーカ１０，３０により振動を発生させ、且つ、効果音スピーカ４０により効果音を出力させる（Ｓ７）。このとき、制御部は、振動量を大きくすると共に、効果音についても大きくする。さらに、制御部は、水滴噴射装置５０から水滴を噴射してもよい。その後、処理は、ステップＳ９に移行する。
【００３３】
一方、効果大ボタンが押下されていないと判断した場合（Ｓ６：ＮＯ）、かご制御盤７は乗りかごを昇降させると共に、制御部は第１及び第２振動スピーカ１０，３０により振動を発生させ、且つ、効果音スピーカ４０により効果音を出力させる（Ｓ８）。このとき、制御部は、振動量を小さくすると共に、効果音についても小さくする。さらに、制御部は、水滴噴射装置５０から水滴を噴射してもよい。その後、処理は、ステップＳ９に移行する。
【００３４】
なお、上記ステップＳ７及びステップＳ８において、振動と効果音とは同調している。すなわち、制御部は、大波の音と共に振動を発生させたり、カミナリの音にあわせて振動を発生させたりする。
【００３５】
次に、制御部は、停止ボタン６５が押下されたか否かを判断する（Ｓ９）。停止ボタン６５が押下されていないと判断した場合（Ｓ９：ＮＯ）、かご制御盤７は、乗りかご３を目的階に停止させる（Ｓ１０）。そして、処理はステップＳ１３に移行する。停止ボタン６５が押下されたと判断した場合（Ｓ９：ＹＥＳ）、制御部は、第１及び第２振動スピーカ１０，３０による振動を停止させ、且つ、効果音スピーカ４０からの効果音を停止させる（Ｓ１１）。その後、かご制御盤７は、乗りかご３を最寄階に停止させる（Ｓ１２）。
【００３６】
そして、荷重センサ２０は総重量の検知処理を再開する（Ｓ１３）。次に、制御部は扉３ｄを開き、その後、処理は終了する。
【００３７】
ところで、振動種別設定ボタン６３が押下されていないと判断した場合（Ｓ１：ＮＯ）、制御部は、目的階決定ボタン６１が押下されたか否かを判断する（Ｓ１５）。目的階決定ボタン６１が押下されていないと判断した場合（Ｓ１５：ＮＯ）、処理はステップＳ１に移行する。一方、目的階決定ボタン６１が押下されたと判断した場合（Ｓ１５：ＹＥＳ）、制御部は、乗りかご３の扉３ｄが閉じたか否かを判断する（Ｓ１６）。
【００３８】
乗りかご３の扉３ｄが閉じていないと判断した場合（Ｓ１６：ＮＯ）、この処理が繰り返されることとなる。乗りかご３の扉３ｄが閉じたと判断した場合（Ｓ１６：ＹＥＳ）、荷重センサ２０は総重量の検知処理を停止する（Ｓ１７）。そして、かご制御盤７は乗りかごを昇降させる（Ｓ１８）。このとき、制御部は第１及び第２振動スピーカ１０，３０により振動を発生させず、且つ、効果音スピーカ４０により効果音を出力させない。そして、処理はステップＳ１３に移行し、ステップＳ１４を経て、処理は終了する。
【００３９】
このようにして、本実施の形態に係るエレベータ１によれば、乗りかご３の床面３ａを振動させる第１振動スピーカ１０、ダンパー９０、スプリング１００又はハンマー１１０を備えるため、乗客の運搬中に床面３ａを振動させることができ、単に乗客を運搬する場合と比較して、乗客に面白味を与えることができ、娯楽性をもたせることができる。
【００４０】
また、乗りかご３の側板３ｂを振動させる第２振動スピーカ３０、ダンパー９０、スプリング１００又はハンマー１１０をさらに備えるため、床面３ａのみならず、側板３ｂを振動させて、一層乗客に面白味を与えて、より娯楽性をもたせることができる。
【００４１】
また、乗りかご３内の乗客に向けて音声を出力する効果音スピーカ４０をさらに備え、第１振動スピーカ１０、ダンパー９０、スプリング１００又はハンマー１１０は、効果音スピーカ４０から出力される音声と同調して床面３ａを振動させるため、大波の音と共に振動を発生させたり、カミナリの音にあわせて振動を発生させたりすることができ、一層娯楽性をもたせることができる。
【００４２】
また、乗客の操作によって第１振動スピーカ１０、ダンパー９０、スプリング１００又はハンマー１１０による振動の大きさを設定可能な振動量設定ボタン６４をさらに備える。このため、乗客が妊婦である場合など、振動を大きくすると気分が悪くなるおそれがあるときには振動を小さくし、乗客が若者だけである場合などには振動を大きくして、より娯楽性をもたせることができる。
【００４３】
また、乗客の操作によって第１振動スピーカ１０、ダンパー９０、スプリング１００又はハンマー１１０による振動の種別を設定可能な振動種別設定ボタン６３をさらに備える。このため、波を模した振動、雷を模した振動、電車を模した振動など振動の種別を乗客が選択でき、一層娯楽性をもたせることができる。
【００４４】
また、床面３ａは複数の床板３ｅからなり、複数の床板３ｅが個別に振動するため、より細かな振動を実現でき、一層臨調感ある振動を行うことができる。
【００４５】
また、床面３ａのうち、乗りかご３の側板３ｂ近傍位置に突起７０を設けている。ここで、振動によっては、床面３ａと側板３ｂとに隙間が生じる可能性があり、その隙間に乗客の体の部位が入ってしまう可能性があるが、突起７０を設けることにより、側板３ｂ付近に立って突起７０を踏んだ乗客に違和感を与え、側板３ｂから離れるように誘導することができる。従って、安全性を確保することができる。
【００４６】
また、乗客の操作によって第１振動スピーカ１０、ダンパー９０、スプリング１００又はハンマー１１０による振動を停止させる停止ボタン６５をさらに備えるため、振動によって気分が悪くなったり、振動を望まなかったりする乗客は、振動を停止させることができ、利便性を向上させることができる。
【００４７】
また、乗客に向けて水滴を噴射する水滴噴射装置５０をさらに備えるため、波を模した振動を行う場合には海からの水滴に模することができ、一層臨調感ある演出を行うことができる。
【００４８】
また、荷重センサ２０は、乗りかご３の扉３ｅが閉じられたときに検出を停止し、乗りかご３の扉３ｅが開いたときに検出を再開するため、乗りかご３の乗降中、すなわち、乗りかご３内において振動を発生させて総重量の誤検出が発生し易いときには、その検出を停止させることとなり、総重量の誤検出を防止することができる。
【００４９】
以上、実施の形態に基づき本発明を説明したが、本発明は上記実施の形態に限られるものではなく、本発明の趣旨を逸脱しない範囲で、変更を加えてもよい。例えば、本実施の形態において振動種別は、波、カミナリ、及び電車に限らず、地震や爆発による振動を模したものであってもよい。さらに、振動量は、より細かく設定できるようになっていてもよい。
【図面の簡単な説明】
【００５０】
【図１】本発明の実施の形態に係るエレベータを示す構成図。
【図２】図１に示した乗りかごの構成を示す概略側面図。
【図３】図１に示した乗りかごの扉の側部に設けられる操作盤の詳細を示す正面図。
【図４】図２に示した床面と側板とを示す一部拡大図。
【図５】図２に示した乗りかごの第１変形例を示す一部側面図。
【図６】図２に示した乗りかごの第２変形例を示す一部側面図。
【図７】図２に示した乗りかごの第３変形例を示す一部側面図。
【図８】図２に示した乗りかごの第４変形例を示す一部側面図。
【図９】図１に示したエレベータの変形例を示し、エレベータのホール部分に設けられるホールボタンを示す構成図。
【図１０】図１に示したエレベータの動作を示すフローチャート。
【符号の説明】
【００５１】
１  エレベータ
２  昇降路
３  乗りかご
３ａ  床面
３ｂ  側板
３ｃ  天井板
３ｄ  扉
３ｅ  床板
４  カウンタウェイト
５  巻上機
５ａ  駆動輪５ａ
６  メインロープ
７  かご制御盤
１０  第１振動スピーカ（床面振動手段）
２０  荷重センサ（荷重検出手段）
３０  第２振動スピーカ（側板振動手段）
４０  効果音スピーカ（音声出力手段）
５０  水滴噴射装置（水滴噴射手段）
６０  操作盤
６１  目的階決定ボタン
６２  開閉ボタン
６３  振動種別設定ボタン（振動種別設定手段）
６４  振動量設定ボタン（振動量設定手段）
６５  停止ボタン（停止手段）
７０  突起
８０  パッキン
９０  ダンパー（床板振動手段、側板振動手段）
１００  スプリング（床板振動手段、側板振動手段）
１１０  ハンマー（床板振動手段、側板振動手段）
１２０  上下ボタン
【図１】
2009196794.tif 000003
【図２】
2009196794.tif 000004
【図３】
2009196794.tif 000005
【図４】
2009196794.tif 000006
【図５】
2009196794.tif 000007
【図６】
2009196794.tif 000008
【図７】
2009196794.tif 000009
【図８】
2009196794.tif 000010
【図９】
2009196794.tif 000011
【図１０】
2009196794.tif 000012